(57)【要約】      （修正有）【課題】避雷針等の高所設置部材とその支持管とを、施工現場において機械的及び電気的に簡単、確実に接続することができる上に、製作費も低減できる高所設置部材の接続具を提供する。【解決手段】接続具は、鋼管製の支持管１の先端部に固定されている。この接続具は、支持管１の外周の相対する位置に配置される一対の分割金具と、分割金具どうしを締結することで、各分割金具を支持管に固定するボルト１２及びナット１３と、分割金具と落雷抑制型避雷針Ｂとを締結するボルト１４及びナット１５と、を備えている。【選択図】図１
0003178836.tif 000002
【実用新案登録請求の範囲】
【請求項１】
高所に設置される高所設置部材と、
その高所設置部材を支持する支持管との接続具であって、
前記支持管の外周の相対する位置に配置される二つの分割金具と、
前記分割金具どうしを締結することで、各分割金具を支持管に固定する第１締結手段と、
前記分割金具と前記高所設置部材とを締結する第２締結手段と、
を備えていることを特徴とする高所設置部材の接続具。
【請求項２】
前記第１締結手段は、前記各分割金具どうしが接近する方向に締め付けていることを特徴とする、請求項１に記載の高所設置部材の接続具。
【請求項３】
前記各分割金具は、前記支持管の外周面に接する接触面を有する保持部と、分割金具どうしを接合する接合部と、その接合部に設けられたボルト孔とを備え、前記第１締結手段がボルトとナットを含むことを特徴とする、請求項１又は２に記載の高所部材の接続具。
【請求項４】
前記高所設置部材がボルト孔付きのフランジ部を備え、前記各分割金具は、前記フランジを支持する水平部と、その水平部に設けられたボルト孔とを備え、前記第２締結手段がボルトとナットを含むことを特徴とする、請求項１〜３の何れかに記載の高所部材の接続具。
【請求項５】
前記分割金具を一対備え、分割金具の接合部どうしの締結状態において、前記接保持部が断面多角形に形成されていることを特徴とする、請求項１〜４の何れかに記載の高所設置部材の接続具。
【請求項６】
前記各分割金具が、金属板の切断加工、孔開け加工及び曲げ加工により形成されていることを特徴とする、請求項１〜５の何れかに記載の高所設置部材の接続具。
【請求項７】
前記高所設置部材が、避雷針又はアンテナであることを特徴とする、請求項１〜６の何れかに記載の高所設置部材の接続具。
【考案の詳細な説明】
【技術分野】
【０００１】
本考案は、落雷抑制型避雷針、突針形避雷針、アンテナ、等の高所設置部材とその支持管との接続に用いて好適な高所設置部材の接続具に関するものである。
【背景技術】
【０００２】
従来の避雷針は、建築物に金属鋼管の支持管を立て、その先端に取り付けて用いるのが一般的である。図４（ａ）は、一般の突針形避雷針Ａの支持構造を示し、図４（ｂ）は落雷抑制型避雷針Ｂの支持構造を示している。
【０００３】
いずれの場合も、金属鋼管からなる支持管１の先端部に、水平な支持フランジ２やカップリング（図示せず）等を溶接により取り付け、その支持フランジ２と、突針形避雷針Ａや落雷抑制型避雷針Ｂの下部に設けた円形フランジ３とをボルト４、ナット５により締結して接続する構造とするのが主流である。
【０００４】
なお、特許文献１には、避雷針支持管に、複数の傘状絶縁体を一体に取付けた絶縁パイプを用い、この絶縁パイプ支持管の中に絶縁電線を通し、絶縁電線を絶縁パイプ支持管の先端で、避雷突針、絶縁電線、避雷針支持管を取付金具より機械的に接続する技術が開示されている。また、特許文献２には、パイプどうしの接合を確実かつ強固にしたアンテナ支持柱の技術が開示されている。
【先行技術文献】
【特許文献】
【０００５】
【特許文献１】特開平１１−４０３９０号公報
【特許文献２】特開２００７−２９５０８７号公報
【考案の概要】
【考案が解決しようとする課題】
【０００６】
従来の避雷針は、建築物の最高部に取り付ける必要があるため、避雷針を確実に取り付ける支持管の先端の溶接加工は工場、または地上部で行うことが一般であり、製作期間や施工費用に問題があった。また、支持管が鉄製鋼管の場合は、溶接後に溶融亜鉛めっき等を施す必要があった。よって専門業者に依頼することが多くなり、この点からも施工費用が嵩む問題があった。この種の問題はアンテナの高所設置工事においても同様である。
【０００７】
このような問題の改善策として、例えば図５に示すように、支持管１の上部に一回り太い外部鋼管６を被せ、周囲から固定ネジ７で固定する方法が考えられる。しかし、この方法では、長期の間に風圧等でがたつきが生じて外れ易くなったり、音が出たりする、といった問題があった。また、この方法では、固定ネジ７の先端が支持管１の外面に突き当たっているだけであるため、電気的な接続が不十分となる問題もあった。そのため、支持管１の上部に被せた外部鋼管６に接地用引き下げ線８の接続端子９を、端子台９ａを介して溶接で設ける必要があった。
【０００８】
これまで、避雷針は建築基準法に基づき、高さ２０ｍ以上のビルや鉄塔等の構築物に主として設置されてきたが、これからはスマートハウス等、一般家庭でもソーラパネルや電気自動車等のバッテリーとの接続等で、落雷による被害の増大が懸念されるため、落雷対策が従来よりも重要になるものと考えられる。
【０００９】
この対策として、突針形避雷針や落雷抑制型避雷針の家庭用タイプの普及が予測される。このような状況では専門業者以外でも施工可能な支持管と避雷針等の簡単で確実な接続法がより重要となってくる。
【００１０】
よって、本考案は、避雷針等の高所設置部材とその支持管とを、施工現場において機械的及び電気的に簡単、確実に接続することができる上に、製作費も低減できる高所設置部材の接続具を提供することを課題とする。
【課題を解決するための手段】
【００１１】
上記課題を解決する本考案は、高所に設置される高所設置部材と、その高所設置部材を支持する支持管との接続具であって、
前記支持管の外周の相対する位置に配置される二つの分割金具と、前記分割金具どうしを締結することで、各分割金具を支持管に固定する第１締結手段と、前記分割金具と前記高所設置部材とを締結する第２締結手段と、を備えていることを特徴とする。
【００１２】
本考案によれば、支持管の外周の相対する位置に配置される二つの分割金具どうしを締結することで、各分割金具を支持管に固定する第１締結手段と、分割金具と高所設置部材とを締結する第２締結手段と、を備える構成としたので、高所設置部材と支持管とを、施工現場において機械的及び電気的に簡単かつ、確実に接続することができる上に、製作費の低減も図ることができる。
【００１３】
本考案の好ましい形態では、第１締結手段は、各分割金具どうしが接近する方向に締め付けていることを特徴とする。
このように、第１締結手段により、分割金具どうしが接近する方向に締め付けることで、各分割金具を支持管に対して強く圧接させることができる。これにより、支持管に対する各分割金具の固定と電気的な接続との両方を同時に実現することができる。
【００１４】
本考案の好ましい形態では、各分割金具は、支持管の外周面に接する接触面を有する保持部と、分割金具どうしを接合する接合部と、その接合部に設けられたボルト孔とを備え、第１締結手段がボルトとナットを含むことを特徴とする。
各分割金具をこのように構成することで、分割金具どうしの締結作業及び分割金具の支持管への固定作業をボルトとナットにより行うことができる。これにより、現場での接続作業は支持管を加工することなく極めて容易に行うことができる。
【００１５】
本考案の好ましい形態では、高所設置部材がボルト孔付きのフランジ部を備え、各分割金具は、フランジ部を支持する水平部と、その水平部に設けられたボルト孔とを備え、第２締結手段がボルトとナットを含むことを特徴とする。
各分割金具をこのように構成することで、分割金具と高所設置部材との締結作業をボルトとナットにより行うことができる。したがって、この点からも、現場での接続作業を極めて容易に行うことができる。
【００１６】
本考案の好ましい形態では、分割金具を一対備え、分割金具の接合部どうしの締結状態において、分割金具の保持部が断面多角形に形成されていることを特徴とする。
このように、分割金具を一対の構造とすることで、１種類の分割金具で対応することができ、その分、部品点数を減らすことができる。また、分割金具どうしの締結状態において、分割金具の保持部を断面多角形に形成することで、分割金具の複数箇所を支持管の外面に圧接させることができる。これにより、分割金具と支持管との固定状態をより良好にすることができる。
【００１７】
本考案の好ましい形態では、各分割金具が、金属板の切断加工、孔開け加工及び曲げ加工により形成されていることを特徴とする。
各分割金具をこのような加工で制作することで、手間とコストのかかる溶接加工を不要にして、さらに制作費の低減を図ることができる。
【００１８】
本考案の好ましい形態では、高所設置部材が、避雷針又はアンテナであることを特徴とする。
【考案の効果】
【００１９】
本考案によれば、避雷針等の高所設置部材と市販の鋼管とを、施工現場において機械的及び電気的に簡単、確実に接続することができる上に、制作費も低減できる高所設置部材の接続具を提供することができる。
【図面の簡単な説明】
【００２０】
【図１】本考案の実施形態１に係る高所設置部材の接続具を示す斜視図である。
【図２】本考案の実施形態１に係る高所設置部材の接続具を示す分解斜視図である。
【図３】本考案の実施形態１に係る高所設置部材の接続具を示すもので、（ａ）は正面図、（ｂ）は平面図、（ｃ）は側面図である。
【図４】従来例を示すもので、（ａ）は突針形避雷針の接続構造の正面図、（ｂ）は落雷抑制型避雷針の接続構造の正面図である。
【図５】従来の接続構造を示す一部断面正面図である。
【考案を実施するための形態】
【００２１】
＜実施形態１＞
以下、本考案の好適な実施形態について、図１〜図３を参照して説明する。
図１〜図３は、本考案に係る高所設置部材の接続具を落雷抑制型避雷針に適用した実施形態を示す図である。
【００２２】
この実施形態に係る落雷抑制型避雷針Ｂの接続具１０は、図１に示すように、鋼管製の支持管１の先端部に固定されている。この接続具１０は、支持管１の外周の相対する位置に配置される一対の分割金具１１、１１と、分割金具１１、１１どうしを締結することで、各分割金具１１、１１を支持管に固定するボルト１２及びナット１３（第１締結手段）と、分割金具１１と落雷抑制型避雷針（以下単に避雷針という）Ｂとを締結するボルト１４及びナット１５（第２締結手段）と、を備えている。
【００２３】
避雷針Ｂは、避雷極部材２０と、その避雷極部材２０を鉛直に保持する支持ロッド２１と、その支持ロッド２１の下部にネジ結合された円形フランジ２２と、を備えている。そして、円形フランジ２２には複数のボルト孔２３が設けられている。
【００２４】
避雷極部材２０は、上部電極体２４と、下部電極体２５と、それら上部電極体２４および下部電極体２５間に設けられた絶縁体２６とを備え、全体として概略球体状に形成されている。上部電極体２４、下部電極体２５は、球体が上下に半割りされた若干扁平な半球状に形成されている。
【００２５】
各分割金具１１、１１は、支持管１の外周面に接する接触面ａを有する保持部１１ａと、分割金具どうしを接合するフランジ状の接合部１１ｂと、その接合部１１ｂに設けられたボルト孔１１ｃとを備えている。そして、各分割金具１１、１１は、ボルト１２、ナット１３により、互いに接近する方向に締め付けられている。
【００２６】
さらに、各分割金具１１、１１は、避雷針Ｂのフランジ部２２を支持する水平部１１ｄと、その水平部１１ｄに設けられたボルト孔１１ｅとをそれぞれ備えている。そして、分割金具１１、１１の相対する接合部１１ｂ、１１ｂどうしの締結状態において、保持部１１ａが図３（ｂ）に示すように断面六角形の六角管状に形成されている。
【００２７】
また、この締結状態において形成される六角管の内接円の直径が、支持管１の外径よりも僅かに小さくなるように設定されている。これにより、ボルト１２及びナット１３を用いた分割金具１１、１１どうしの締結状態で、その分割金具１１、１１が支持管１に確実かつ強固に固定されるように配慮している。
【００２８】
各分割金具１１、１１は、例えば肉厚３〜８ｍｍ程度の金属板の切断加工、孔開け加工及び曲げ加工により形成されている。これにより、溶接加工を不要にしている。即ち、分割金具１１、１１は、それぞれが一枚の金属板により形成されている。この金属板にはステンレス、亜鉛メッキ鋼板等が好適用いられる。
【００２９】
分割金具１１の保持部１１ａは、六角管を縦に半割りした形状となるように曲げ加工されている。保持部１１ａの上部に設けられている水平部１１ｄは、舌片状に形成されていて、保持部１１ａの軸線に対して直交するように曲げ加工されている。この水平部１１ｂは一つの分割金具１１に二つ設けられている。そして、分割金具１１、１１どうしが締結された状態において、水平部１１ｂのボルト穴１１ｅと、円形フランジ２２のボルト孔２３とが合致するように設計されている。
【００３０】
実施形態によれば、支持管１の外周の相対する位置に配置される二つの分割金具１１どうしを締結することで、各分割金具１１を支持管１に固定するボルト１２及びナット１３と、分割金具１１と避雷針Ｂの円形フランジ２２とを締結するボルト１４及びナット１５と、を備える構成としたので、避雷針Ｂと支持管１とを、施工現場において機械的及び電気的に簡単かつ、確実に接続することができ、併せてコスト低減を図ることができる。
【００３１】
また、ボルト１２及びナット１３により、分割金具１１どうしが接近する方向に締め付けることで、各分割金具１１を支持管１に対して強く圧接させることができる。これにより、支持管１に対する各分割金具１１の固定と電気的な接続との両方を同時に実現することができる。
【００３２】
また、各分割金具１１をこのように構成することで、分割金具１１どうしの締結作業及び分割金具１１の支持管１への固定作業をボルトとナットにより行うことができる。これにより、現場での接続作業は支持管１を加工することなく極めて容易にかつ確実に行うことができる。
【００３３】
また、分割金具１１の水平部１１ｄと、避雷針Ｂの円形フランジ２２との締結作業をボルト１４とナット１５により行うことができるので、この点からも、現場での接続作業を極めて容易に行うことができる。
【００３４】
また、分割金具１１を一対の構造とすることで、１種類の分割金具１１で対応することができ、その分、部品点数を減らすことができる。また、分割金具１１どうしの締結状態において、分割金具１１の保持部１１ａを断面多角形に形成することで、分割金具１１の複数箇所を支持管１の外面に圧接させることができる。これにより、分割金具１１と支持管１との固定状態をより良好にすることができる。
【００３５】
さらに、各分割金具１１を、金属板の切断加工、孔開け加工及び曲げ加工により形成することで、手間とコストのかかる溶接加工を不要にして、制作費の低減を図ることができる。
【００３６】
なお、上記実施形態では、接続具の保持部を断面六角形となる六角筒状に形成した例を示したが、これに限定されることなく、四角形以上の多角形、特に偶数の多角形としても良い。
また、水平部１１ｄは、一つの分割金具１１に二つ設けた例を示したが、一つ又は三つ以上設けてもよい。
また、第１締結手段及び第２締結手段には、いずれもボルトとナットを用いた例を示したが、例えばナットの代わりにねじ穴を設けても良い。
【００３７】
また、上記実施形態では、避雷針等の高所接地部材用の接続具について述べたが、この接続具は、例えば、支持管の下端部に取り付けてコンクリート内に鉛直に埋め込むことで、支持管を鉛直に保持するアンカー部材として使用することも可能である。その場合には、支持管の上部に接続具をもう一つ取り付ければ、これ接続具を避雷針やアンテナ等の接続具として利用することができる。
【符号の説明】
【００３８】
１  支持管
１０  接続具
１１  分割金具
１１ａ  保持部
１１ｂ  接合部
１１ｃ  ボルト孔
１１ｄ  水平部
１１ｅ  ボルト孔
１２、１４  ボルト
１３、１５  ナット
２０  避雷極部材
２１  支持ロッド
２２  円形フランジ
【図１】
0003178836.tif 000003
【図２】
0003178836.tif 000004
【図３】
0003178836.tif 000005
【図４】
0003178836.tif 000006
【図５】
0003178836.tif 000007